【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】  原稿台の下面を移動して、前記原稿台上に配置された原稿の画像を読み取る画像読取部を有し、前記画像読取部に一体的に取り付けられた測距手段を有することを特徴とする画像読み取り装置。
【請求項２】  前記測距手段は原稿の走査方向及び全範囲の距離を測定し、原稿面の前記原稿台からの浮き量を測定することを特徴とする請求項１記載の画像読み取り装置。
【請求項３】  前記画像読取部は原稿像を第１ミラーによる反射および集光レンズを介したあと、ＣＣＤセンサ上に結像するよう配置されており、前記原稿像の映像を最初に反射する前記第１ミラーは反射角が変化でき得る構造を有することを特徴とする請求項１記載の画像読み取り装置。
【請求項４】  前記第１ミラーは、集光レンズ、およびＣＣＤに対し、光軸方向に進退可能である構造を有することを特徴とする請求項３記載の画像読み取り装置。
【請求項５】  前記第１ミラーの反射角は、常時は基準となる一定の角度を保持し、それに対し変化でき得る角度は増減、両方向に可能であることを特徴とする請求項４記載の画像読み取り装置。
【請求項６】  前記画像読み取り装置の読取動作によるＣＣＤおよびレンズ部の作動量と原稿浮き量とにより、原稿面の傾きを計算し、それに対応する角度に、前記第１ミラーの反射角を変化させることを特徴とする請求項２記載の画像読み取り装置。
【請求項７】  前記画像読取部の作動量と、それに伴う前記測距手段により測定された原稿浮き量から前記原稿面の走査方向の原稿長さを計算し、それにあった長さに読取データを置き換えることにより、前記原稿面の浮きによるデータの走査方向の圧縮を補正することを特徴とする請求項２記載の画像読み取り装置。
【請求項８】  原稿面の傾きによる前記ミラー反射面の傾き角の変化、および原稿の浮きによる焦点面の光軸方向長さ変化に対し、前記ＣＣＤから前記原稿面までの距離が変化しないように、前記ＣＣＤと第１反射面の距離を変化させることを特徴とする請求項３記載の画像読み取り装置。
【請求項９】  前記光軸方向長さ変化の補正を前記第１ミラーに続く、それ以降の反射ミラーによって行うことを特徴とする請求項８記載の画像読み取り装置。
【請求項１０】  前記補正により読取位置と、読取データの間の関係はずれるが、仮想平面を想定したデータの位置補正を行うことによって、また隣り合うデータの重み補完を行うことにより補正データを作成し、ずれ補正を行うことを特徴とする請求項７又は８に記載の画像読み取り装置。
【請求項１１】  前記測距手段は走査方向と直角方向に複数個設け、前記原稿の走査方向に対し直角な方向の原稿浮き量の変化も測定することを特徴とする請求項１記載の画像読み取り装置。
【請求項１２】  複数のセンサの測定浮き量の差が大きく、撮影レンズ系の許容深度内に収まらないときには、収まらない部分の映像を部分取り直し後、合成することにより映像データを作成することを特徴とする請求項８記載の画像読み取り装置。
【請求項１３】  複写機、スキャナ機には、前記補正動作を行うかどうか選択できるような構成を有し、
前記補正動作を始めるときも、原稿面の傾きを計算し、それに対応する角度に前記第１ミラーの反射角を変化させる作動は、原稿全範囲の浮き量の測定を終え、浮き範囲を特定した後、開始することを特徴とする請求項１１記載の画像読み取り装置。
【請求項１４】  請求項１乃至１１の何れか一項に記載の画像読み取り装置と、画像形成部と、給紙部と、を少なくとも備えたことを特徴とする画像形成装置。
【手続補正２】
【補正対象書類名】明細書
【補正対象項目名】０００４
【補正方法】変更
【補正の内容】
【０００４】
【課題を解決するための手段】
前記の課題を解決するために、請求項１記載の発明では、原稿台の下面を移動して、前記原稿台上に配置された原稿の画像を読み取る画像読取部を有し、前記画像読取部に一体的に取り付けられた測距手段を有する画像読み取り装置を主要な特徴とする。
請求項２記載の発明では、前記測距手段は原稿の走査方向及び全範囲の距離を測定し、原稿面の前記原稿台からの浮き量を測定する請求項１記載の画像読み取り装置を主要な特徴とする。
請求項３記載の発明では、前記画像読取部は原稿像を第１ミラーによる反射および集光レンズを介したあと、ＣＣＤセンサ上に結像するよう配置されており、前記原稿像の映像を最初に反射する前記第１ミラーは反射角が変化でき得る構造を有する請求項１記載の画像読み取り装置を主要な特徴とする。
請求項４記載の発明では、前記第１ミラーは、集光レンズ、およびＣＣＤに対し、光軸方向に進退可能である構造を有する請求項３記載の画像読み取り装置を主要な特徴とする。
請求項５記載の発明では、前記第１ミラーの反射角は、常時は基準となる一定の角度を保持し、それに対し変化でき得る角度は増減、両方向に可能である請求項４記載の画像読み取り装置を主要な特徴とする。
請求項６記載の発明では、前記画像読み取り装置の読取動作によるＣＣＤおよびレンズ部の作動量と原稿浮き量とにより、原稿面の傾きを計算し、それに対応する角度に、前記第１ミラーの反射角を変化させる請求項２記載の画像読み取り装置を主要な特徴とする。
請求項７記載の発明では、前記画像読取部の作動量と、それに伴う前記測距手段により測定された原稿浮き量から前記原稿面の走査方向の原稿長さを計算し、それにあった長さに読取データを置き換えることにより、前記原稿面の浮きによるデータの走査方向の圧縮を補正する請求項２記載の画像読み取り装置を主要な特徴とする。
【手続補正３】
【補正対象書類名】明細書
【補正対象項目名】０００５
【補正方法】変更
【補正の内容】
【０００５】
請求項８記載の発明では、原稿面の傾きによる前記ミラー反射面の傾き角の変化、および原稿の浮きによる焦点面の光軸方向長さ変化に対し、前記ＣＣＤから前記原稿面までの距離が変化しないように、前記ＣＣＤと第１反射面の距離を変化させる請求項３記載の画像読み取り装置を主要な特徴とする。
請求項９記載の発明では、前記光軸方向長さ変化の補正を前記第１ミラーに続く、それ以降の反射ミラーによって行う請求項８記載の画像読み取り装置を主要な特徴とする。
請求項１０記載の発明では、前記補正により読取位置と、読取データの間の関係はずれるが、仮想平面を想定したデータの位置補正を行うことによって、また隣り合うデータの重み補完を行うことにより補正データを作成し、ずれ補正を行う請求項７又は８に記載の画像読み取り装置を主要な特徴とする。
請求項１１記載の発明では、前記測距手段は走査方向と直角方向に複数個設け、前記原稿の走査方向に対し直角な方向の原稿浮き量の変化も測定する請求項１記載の画像読み取り装置を主要な特徴とする。
請求項１２記載の発明では、複数のセンサの測定浮き量の差が大きく、撮影レンズ系の許容深度内に収まらないときには、収まらない部分の映像を部分取り直し後、合成することにより映像データを作成する請求項８記載の画像読み取り装置を主要な特徴とする。
請求項１３記載の発明では、複写機、スキャナ機には、前記補正動作を行うかどうか選択できるような構成を有し、前記補正動作を始めるときも、原稿面の傾きを計算し、それに対応する角度に前記第１ミラーの反射角を変化させる作動は、原稿全範囲の浮き量の測定を終え、浮き範囲を特定した後、開始する請求項１１記載の画像読み取り装置を主要な特徴とする。
請求項１４記載の発明では、請求項１乃至１１の何れか一項に記載の画像読み取り装置と、画像形成部と、給紙部と、を少なくとも備えたことを特徴とする。
【手続補正４】
【補正対象書類名】明細書
【補正対象項目名】００１２
【補正方法】変更
【補正の内容】
【００１２】
【発明の効果】
以上説明したように、請求項１によれば、測距手段により原稿の浮きの有無、浮きの高さが検知でき、これにより、画像補正も可能になる。
請求項２によれば、浮いた原稿、（傾いた原稿）に対し出来るだけ直行した方向から情報を取り込むことができ、文字の歪み、圧縮を補正した画像を入力できる。
請求項３によれば、浮いた原稿、傾いた原稿に対しできるだけ、原稿に直行した方向から情報を取得し得るようになり、文字の歪み、圧縮が少なく解像度の高い情報、画像をＣＣＤに入力できることになる。
請求項４によれば、浮いた原稿面の為ピントがボケる現象に対し補正ができ、ピントの合った画像を得ることができる。
請求項５によれば、これはブックの両ページにわたる原稿面の面変化等、傾きが基準角度に対し正負の関係変化で変わる面に対して必要な項目である。
請求項６によれば、浮き量の測定から面の傾き方向を知ることができ、データの走査方向の長さの補正が行え正確な平面展開原稿を作成できる。
請求項７によれば、浮き量の測定から原稿の水平展開寸法を知ることができ、データの走査方向の長さの補正が行え正確な平面展開原稿を作成できる。
請求項８によれば、焦点合わせを撮影レンズ系の変化を使わず行うことができ、これによって画像倍率補正を省略できる。
【手続補正５】
【補正対象書類名】明細書
【補正対象項目名】００１３
【補正方法】変更
【補正の内容】
【００１３】
請求項９によれば、浮いた原稿面の為ピントがボケる現象に対し補正ができ、ピントの合った画像をえることができる。
請求項１０によれば、ミラーの傾き角度及び取り込み部の作動量はステップ的な動きであるため、原稿の走査情報が必ずしも、平面状態で得たとする情報と一致しないので、前後の走査情報と照らし合わせ、中間的な情報を作ることができる。
請求項１１によれば、測距手段を走査方向と直角に複数個設けその距離を平均化することにより、走査方向と直角方向のデータの取り込みにより良いミラー角度、取り込み位置を設定できることになる。
請求項１２によれば、直角方向に対しても大きなうねりがあるような場合、直角方向のデータもいくつかの範囲に分けて取り込むことにより、良い情報を得ることができる。
請求項１３によれば、原稿（ブック等）が走査方向と直角方向に対してもうねり（浮き量の違い）があり、同一焦点深度内に収まらない場合には複数回の取り込み動作を、深度が収まらない範囲においておこない、より良い情報を得ることができる。
請求項１４によれば、上記各請求項に基づく作用効果を発揮する画像形成装置を提供することができる。